(57)【特許請求の範囲】
【請求項１】
冷蔵室外に引き出し可能な収納容器を貯蔵室として有する冷蔵庫において、
当該収納容器は、
上部が開放した上部開口部が形成された第１収納容器と、
当該上部開口部を覆う蓋体と、
前記第１収納容器よりも上部に位置する第２収納容器とを有し、
前記第１収納容器における前記上部開口部の後端縁部は、当該上部開口部の前端縁部よりも低く形成され、かつ、前記前端縁部から前記後端縁部に向かって徐々に低くなる傾斜面を形成され、
前記第２収納容器は、前記後端縁部よりも上部に設けられた前記第１収納容器における引出機構部を介して前後方向に移動可能に設けられ、前記引出機構部と第２引出機構部との間を移動可能な構造であり
前記蓋体は、前記第２収納容器を前後に移動させる第２引出機構部と、前記冷蔵室より出し入れ可能に保持する第４引出機構部と、を備え、
前記蓋体を、前記冷蔵室内に引き戻すためのバネ材を備え、
当該蓋体を前記第１収納容器に固定し、当該第１収納容器が所定の位置に引き出された状態で当該蓋体を開放する連動機構部とを備える
ことを特徴とする冷蔵庫。
【請求項２】
請求項１に記載の冷蔵庫において、
前記第１収納容器の後方に張出部を形成し、
当該張出部の上段を前記第２収納容器の収納空間である
ことを特徴とする冷蔵庫。
【請求項３】
請求項２に記載の冷蔵庫において、
前記第１収納容器の上部に第２収納容器が積層され、引出された状態では、前記第２収納容器は前記引出機構部により移動可能に支持されており、前記第２収納容器が冷蔵室内に戻される状態では、前記第２引出機構部により移動可能に支持されていることを特徴とする冷蔵庫。
【請求項４】
請求項２に記載の冷蔵庫において、
前記第２収納容器が前記引出機構部から前記第２引出機構部へ移動する際には、前記後端縁部の上部を移動路とすることを特徴とする冷蔵庫。
【請求項５】
請求項１に記載の冷蔵庫において、
前記第１収納容器と前記蓋体との結合部にパッキンがそれぞれ設けられていることを特徴とする冷蔵庫。
【発明の詳細な説明】
【技術分野】
【０００１】
本発明は、貯蔵室内では密閉された貯蔵空間を構成し、この貯蔵室から引き出した状態では内容物の出し入れが容易に図れる引出構造の収納容器を備えた冷蔵庫に関するものである。
【背景技術】
【０００２】
一般家庭で普及している冷蔵庫は、断熱材で仕切られた貯蔵室を仕切壁で上下に分割し、この各貯蔵室に開閉扉や引出構造の収納容器を備えた引出扉を設けたものが一般的である。現在主流の５００リッタクラスの大型冷蔵庫においては、最上部の貯蔵室には、その前面に観音開きの開閉扉を備えた冷蔵室を配置し、その下方の貯蔵室には、引出構造の扉を備えた冷凍室や野菜室を配置したものである。
【０００３】
これら引出構造の収納容器は、上方が開放した収納容器と引出扉を支持する支持枠を、貯蔵室の両側面に形成する支持レールを介してスライド可能に支持する構造とするのが一般的である。
【０００４】
また、これら引出構造の収納容器は、収納性を向上するために、上下に積層する２段または３段の収納容器から構成するものが提案されている。例えば、この積層される収納容器は、最下部の主収納容器と、この上部に支持されるサブ収納容器とで構成する。そして、主収納容器は前記支持枠でスライド可能に支持し、サブの収納容器は貯蔵室の両側に形成されるサブの支持レールと主収納容器の上端部に形成される縁部で支持する構造としている。この構造によれば、引出扉を閉めた状態では、主収納容器の上部にサブの収納容器が積層され、引出扉を引き出した状態では、サブの収納容器が主収納容器の縁部とサブの支持レールとを移動可能としているので、主収納容器とサブの収納容器の食品の出し入れが容易である。
【０００５】
一方、従来の冷蔵庫の野菜室は引出構造の貯蔵室とするのが一般的である。このような野菜室では、冷気を野菜に直接当てると乾燥する課題があるため、野菜室内では、上部が開放した収納容器を蓋体で覆う構造を採用している。例えば、従来技術では、上部が開放する収納容器の上端部に合うパッキンを備えた蓋体を野菜室の天井面に着脱可能に配置したものがある。この従来例によれば、引出扉を閉めた状態では、蓋体と収納容器の上端部がパッキンにより密閉された状態をとることができる。そして、引出扉を引き出すと、蓋体を野菜室内に残して、収納容器が引き出されるので、この収納容器から野菜を出し入れすることができる。また、この蓋体は、野菜室の壁面に設けた溝により野菜室内にスライドして収納することができるので、清掃性が良好となっている。
【０００６】
また、このような蓋体を野菜室内に配置した従来技術では、蓋体の前端縁部を上方に持ち上げて固定したものがある。この従来技術によれば、蓋体が傾斜して配置されるため、蓋体の上面の排水が容易である。また、蓋体の下面に設けられたパッキンの当接部も蓋体の傾斜と略同様に傾斜しているので、収納容器の挿入に際し、この挿入作業を容易とすると共に簡単なシールド構造とすることができる。
【０００７】
また、他の従来例では、野菜容器の上面開口部を開閉可能に覆う透湿性の蓋体を、透明な材料で構成するとともに、野菜室の扉を開けた際に野菜容器と一緒に引き出されるように取り付けたものが提案されている。この従来例によれば、野菜が直接外気にさらされる機会が少なく、また野菜容器内の急激な温度、湿度変化を最小限に抑えることができるため、野菜を長期間新鮮に保持できる。また、蓋体は透明であるため、野菜室を開閉した際に一目で在庫管理ができる。
【先行技術文献】
【特許文献】
【０００８】
【特許文献１】特開平９−１２６６４７号
【特許文献２】特開２００２−２８６３５８号
【特許文献３】特開平４−３５６６７８号
【特許文献４】特開平８-３３８６８１号
【発明の概要】
【発明が解決しようとする課題】
【０００９】
前記従来例によれば、収納容器が野菜室内にあるときには密閉された収納空間を構成し、この収納容器を野菜室から引き出された状態では野菜の出し入れが図れる引出構造の収納容器が提供される。しかし、前記密閉構造を備えた収納容器は、１つの収納容器に適用されたものである。このような密閉構造を、上下に積層する２段または３段の収納容器の構造に適用すると、収納容器と蓋体との密閉構造が取りにくい課題がある。従来技術の場合、主収納容器とサブの収納容器及び蓋体との隙間を小さくする構造を採用することで前記課題を軽減しているが、更なる改善が望まれている。
【００１０】
そこで、この発明の目的は、冷蔵庫の貯蔵室内では密閉された上下に仕切られた貯蔵空間を構成し、この貯蔵空間を構成する収納容器を貯蔵室の前方に引き出した状態では、上下に分割された貯蔵空間の使い勝手が図れる引出構造の収納容器を備えた冷蔵庫を提供することにある。
【課題を解決するための手段】
【００１１】
前記目的を達成するために、この発明に係る冷蔵庫は、冷蔵室外に引き出し可能な収納容器を貯蔵室として有する冷蔵庫において、当該収納容器は、上部が開放した上部開口部が形成された第１収納容器と、当該上部開口部を覆う蓋体と、前記第１収納容器よりも上部に位置する第２収納容器とを有し、前記第１収納容器における前記上部開口部の後端縁部は、当該上部開口部の前端縁部よりも低く形成され、前記第２収納容器は、前記後端縁部よりも上部に設けられた前記第１収納容器における引出機構部を介して前後方向に移動可能に設けらるようにする。
【発明の効果】
【００１２】
この発明によれば、冷蔵庫の貯蔵室内では密閉された上下に仕切られた貯蔵空間を構成し、この貯蔵空間を構成する収納容器を貯蔵室の前方に引き出した状態では、上下に分割された貯蔵空間の使い勝手を向上することができる。
【図面の簡単な説明】
【００１３】
【図１】第１実施例の冷蔵庫に係る引出構造の収納容器の概略構造を示す説明図である。
【図２】第1実施例の冷蔵庫に係る部分縦断面図である。
【図３】第1実施例の冷蔵庫に係る支持枠を備えた引出扉の後方斜視図である。
【図４】第1実施例の冷蔵庫に係る第１引出機構部の取付位置の説明図である。
【図５】第1実施例の冷蔵庫に係る第１収納容器の構造説明図である。
【図６】第1実施例の冷蔵庫に係る蓋体の外観図である。
【図７】第1実施例の冷蔵庫に係る第２収納容器の外観斜視図である。
【図８】第1実施例の冷蔵庫に係る野菜室内で積層される収納容器を示す外観図である。
【図９】第1実施例の冷蔵庫に係る野菜室内で積層構造で収納される収納容器の横断面図である。
【図１０】第1実施例の冷蔵庫に係る結合部の断面図である。
【図１１】第1実施例の冷蔵庫に係る連動機構部の動作説明図である。
【図１２】第1実施例の冷蔵庫に係る解放機構部の動作説明図である。
【図１３】第1実施例の冷蔵庫に係る野菜室の動作状態を示す縦断面図である。
【図１４】第1実施例の冷蔵庫に係る野菜室の動作状態を示す縦断面図である。
【図１５】第1実施例の冷蔵庫に係る野菜室の動作状態を示す縦断面図である。
【図１６】第２実施例の冷蔵庫に係る野菜室内で積層される収納容器を示す外観図である。
【図１７】第２実施例の冷蔵庫に係る引出扉の開閉機構の概略図である。
【図１８】第２実施例の冷蔵庫に係る引出扉の開閉機構の要部拡大断面図である
【図１９】第３実施例の冷蔵庫に係る収納容器の構造図である。
【図２０】第４実施例の冷蔵庫に係る野菜室の動作状態を示す縦断面図である。
【図２１】第４実施例の冷蔵庫に係る野菜室の動作状態を示す縦断面図である。
【図２２】第４実施例の冷蔵庫に係る野菜室の動作状態を示す縦断面図である。
【図２３】第４実施例の冷蔵庫に係る野菜室の動作状態を示す縦断面図である。
【図２４】第５実施例の冷蔵庫に係る野菜室の動作状態を示す縦断面図である。
【図２５】第５実施例の冷蔵庫に係る野菜室の動作状態を示す縦断面図である。
【図２６】第６実施例の冷蔵庫に係る野菜室の動作状態を示す説明図である。
【発明を実施するための形態】
【００１４】
以下、図１から図２６を参照して、この発明に係る冷蔵庫を具体的に説明する。ここで図１から図１５が第１実施例を示し、図１６から図１８が第２実施例を示し、図１９が第３実施例を示し、図２０から図２３が第４実施例を示し、図２４と図２５が第５実施例を示し、図２６が第６実施例を示している。なお、以下の実施例では、野菜室に適用される引出構造の収納容器の事例で説明する。しかし、この発明に係る構造は野菜室に限定されるものではなく、貯蔵室内で密閉構造の貯蔵空間を構成するものであれば適用可能である。また、同様の部位や矢印などは同一符号をもって示し、重複した説明を省略する。
（第１実施例）
先ず、図１を参照して、第１実施例に係る冷蔵庫の概略構造を説明する。図１は、この実施例に係る引出構造の収納容器の概略構造を示す説明図であり、（ａ）図が冷蔵庫の下部に配置される野菜室の部分縦断面図、（ｂ）図が収納容器の部品構成図である。
【００１５】
図１において、この実施例に係る冷蔵庫１は、断熱材で形成される貯蔵室２を仕切壁３で上下に複数に分割し、この最下部に配置される下部貯蔵室１００を引出構造の引出扉１０１を備えた野菜室（下部貯蔵室１００）としたものである。この野菜室１００は、冷蔵庫１の最下部に配置されるために、その後方に圧縮機１１を備えた機械室１０が配置される。このため、（ａ）図に示すように、この野菜室１００の後方下部は内側に機械室１０が張り出した構造となっている。
【００１６】
この野菜室１００は、断熱材で形成される引出扉１０１を、第１引出機構部２００を介して、前後にスライド移動させることにより、密閉された野菜室１００を構成したり、あるいは、この野菜室１００から野菜の出し入れを行うことができる。この第１引出機構部２００は、引出扉１０１の内側に取り付けられる支持枠２０１と、野菜室２００の両側の内壁面に設けられる第１支持レール２０２とで構成される。支持枠２０１は、前記第１支持レール２０２にスライド可能に支持される一対の第１移動部材２０３を備え、この一対の第１移動部材２０３の前端部が引出扉１０１に取り付けられ、後端部は、連結部材２０４（図３参照）で連結される。
【００１７】
この第１引出機構部２００の構造によれば、支持枠２０１を構成する第１移動部材２０３が第１支持レール２０２を移動することにより、その前端部に取り付けられる引出扉１０１を前後に移動させることができる。そして、一対の第１移動部材２０３と引出扉１０１と連結部材２０４で形成される支持枠２０１内に収納容器１２０を支持することができる。したがって、この実施例によれば、第１移動部材２０３が第１支持レール２０２を移動することにより、引出扉１０１とともに収納容器１２０を前後に移動させることができる。
【００１８】
ここで、引出扉１０１の内壁面の周囲には磁石付の図示しない扉パッキンが設けられているので、この扉パッキンが、野菜室１００の前部開放部の前端部に密着することで、この野菜室１００を外部から区画される野菜室１００とすることができる。そして、この野菜室１００を構成する引出扉１０１を前方に引き出すことで、収納容器１２０を野菜室１００から前方に引き出すことができる。
【００１９】
そして、この実施例の大きな特徴の１つは、前記収納容器１２０を、上部が開放した第１収納容器１４０と、この第１収納容器１４０の上部開口部１４１を覆う蓋体１６０とで密閉された貯蔵空間１２１を構成し、この貯蔵空間１２１内に、この貯蔵空間１２１を上下に分割する第２収納容器１８０を配置し、前記第１収納容器１４０は、上部開口部１４１の前端縁部１４２より上部開口部１４１の後端縁部１４３が低く形成され、第２収納容器１８０は、後端縁部１４３の上部を移動路１２２とするように前後方向に移動可能に設けた点にある。
【００２０】
即ち、従来の引出構造の野菜室の収納容器は、後端部が切り欠かれた第１収納容器と、この切欠部に嵌合する第２収納容器とから構成される積層構造を採用したものが主流となっている。この積層構造によれば、引出扉を前方に引き出すことにより、この第１収納容器と第２収納容器を引き出して第２収納容器からの食品の出し入れを可能とし、第１収納容器から食品を取り出す際には、第２収納容器を野菜室内に押し込むことにより、第１収納容器の上部を開放することができる。
【００２１】
このような積層構造の従来例では、野菜室内の天井部分に蓋体を設け、第１収納容器と第２収納容器の上部を覆うことにより収納容器内の乾燥を軽減している。しかし、この従来の蓋体は、第１収納容器の切欠部を覆う構造ではないため、密閉度をより向上することが課題となっている。
【００２２】
この実施例では、この課題を解決するために、第１収納容器１４０の上部開口部１４１の後端縁部１４３を前端縁部１４２より低く形成し、この後端縁部１４３上に第２収納容器１８０の移動路１２２を形成するとともに、第２収納容器１８０を第１収納容器１４０内に納めた時には、上部開口部１４１を蓋体１６０で覆う構造としている。
【００２３】
また、この実施例の大きな特徴の他の１つは、前記第２収納容器１８０を移動可能とするために、第１収納容器１４０に第２引出機構部２２０、前記蓋体１６０に第３引出機構部２４０をそれぞれ備え、この２つの引出機構部２２０、２４０の間を第２収納容器１８０が移動可能な構造とした点にある。
【００２４】
即ち、この実施例では、第１収納容器１４０の上部に第２収納容器１８０が積層される状態では、第２収納容器１８０の両側の底部（第２移動部材）２２１が第１収納容器１４０の両側の内壁面に形成される第２支持レール２２２に支持される。つまり、第２収納容器１８０が第１収納容器１４０に積層される状態では、第２移動部材２２１と第２支持レール２２２とで構成される第２引出機構部２２０により第２収納容器１８０が支持される。
【００２５】
一方、第２収納容器１８０のみが野菜室１００に戻される状態では、第２収納容器１８０の両側の上部に形成される両側縁部（第３移動部材）２４１が、蓋体１６０の両側の内壁面１６１に形成される第３支持レール２４２で支持される。つまり、第２収納容器１８０のみが野菜室１００に戻される状態では、第３移動部材２４１と第３支持レール２４２とで構成される第３引出機構部２４０により第２収納容器１８０が支持される。
【００２６】
そして、この第２収納容器１８０が第２引出機構部２２０から第３引出機構部２４０へ移動する際には、後端縁部１４３の上部を移動路１２２とする。これにより、収納容器１２０は、野菜室１００内では密閉された上下に仕切られた貯蔵空間１２１を構成し、この貯蔵空間１２１を構成する収納容器１２０を野菜室１００の前方に引き出した状態では、上段の第２収納容器１８０からの食品の出し入れが可能であり、また、下段の第１収納容器１４０から食品を出し入れする場合は、第２収納容器１８０のみを野菜室１００に押し込むことにより可能となるから、上下に分割された貯蔵空間１２１の使い勝手も良好とすることができる。
【００２７】
また、この実施例の大きな特徴の他の１つは、上部開口部１４１の両側縁部１４４を、この上部開口部１４１の前端縁部１４２から後端縁部１４３に向かって徐々に低く形成されるように形成した点にある。この構造によれば、この上部開口部１４１を覆う蓋体１６０の両側の内壁面１６１を前方から後方に向かって徐々に太くすることができるから、この内壁面１６１に第２収納容器１８０を支持する第３支持レール２４２を設けやすくすることができる。また、このように上部開口部１４１の両側縁部１４４を後方に向かって低くなる傾斜面とすることにより、上部開口部１４１と蓋体１６０との結合部２８０の嵌合を良好にして、機密性を保持しやすくすることができる。
【００２８】
即ち、この種の前後にスライドする構造を備えた収納容器の場合、この収納容器と蓋体との結合部にゴム材料などで形成されるパッキンを設けると、結合部が水平のために、収納容器の出し入れのたびにパッキンが擦れてしまい耐久性に課題がある。この実施例では、この課題を解決するために、結合部２８０を傾斜面とすることにより、前記課題を軽減させることができる。
【００２９】
また、この実施例の大きな特徴の他の１つは、蓋体１６０を、第４引出機構部２６０を介して、野菜室１００に出し入れ可能にした点にある。この構造によれば、蓋体１６０の両壁面に形成される第４移動部材２６１と、野菜室１００の両側の内壁面に形成される第４支持レール２６２とで第４引出機構部２６０を構成し、この第４支持レール２６２で第４移動部材２６１をスライド可能に支持する構造としている。この移動構造により、蓋体１６０の着脱が容易となり、清掃性を向上することができる。
【００３０】
また、この実施例の大きな特徴の他の１つは、蓋体１６０を、第４引出機構部２６０を介して、移動可能に形成し、この蓋体１６０を常に野菜室１００内に戻そうとするバネ材３１０と、この蓋体１６０を第１収納容器１４０に固定し、第１収納容器１４０が所定の位置に引き出された状態で開放する連動機構部３００とを備えた点にある。
【００３１】
即ち、この実施例によれば、蓋体１６０は、第１収納容器１４０を前方に所定の位置まで引き出されるまで、第１収納容器１４０を覆った状態で引き出されるので、引き出しによる冷気の漏れを軽減することができ、また、所定の位置まで第１収納容器１４０が引き出されると、蓋体１６０はバネ材３１０により野菜室１００内に引き戻されるので、収納容器１２０の食品の出し入れに支障をきたすことがない。
【００３２】
特に、従来の野菜室の構造では、蓋体は野菜室内に常に配置されているために、この蓋体の存在を一般使用者は認識することが少ない。この実施例では、従来構造に比べて密閉構造が向上した蓋体１６０を収納容器１２０の引き出しにともなって引き出すことにより、従来より向上した密閉構造の蓋体１６０の存在を一般消費者に認識させることもまたできる。
【００３３】
なお、この実施例では、蓋体１６０の上面に内部を視認できる透明窓１６２を設けているので、この透明窓１６２を介して収納容器１２０内を確認することができる。
【００３４】
また、この実施例の大きな特徴の他の１つは、前記連動機構部３００を備えた引出構造において、任意の位置で連動機構部３００を開放する解放機構部３４０を設けた点にある。この実施例では、解放機構部３４０として、引出扉１０１の上端部に設けられる開放ボタン３４１と、この開放ボタン３２１と連動機構部３００とを連結するワイヤー３４２などを設け、この開放ボタン３４１の操作に連動して連動機構部３００の固定状態を解除することができる。
【００３５】
また、この実施例の大きな特徴の他の１つは、第１収納容器１４０の上部後方を後方に張り出して形成し、この張出部１４５の後方の下端部に後端縁部１４３を形成した点にある。
【００３６】
即ち、この実施例では、この野菜室１００の後方に機械室１０が形成されるため、この機械室１０が野菜室１００の後方下部に張り出して、野菜室１００の内容積を減らしている。このため、この実施例では、野菜室１００の高さを機械室１０の高さより高く形成し、野菜室１００に収納される収納容器１２０の上部後方を機械室１０の上部に重なるように張り出して形成している。そして、この後方に張り出した第１収納容器１４０の張出部１４５の後方下端部に後端縁部１４３を形成している。この構造によれば、後方に張り出した収納容器１２０の上段を第２収納容器１８０の収納空間とすることができる。
【００３７】
なお、この実施例では、野菜室１００の後方に機械室１０を配置した事例で説明しているが、これに限定されるものではない。例えば、野菜室１００を冷蔵庫の中段に配置した冷蔵庫においては、野菜室１００の後方に図示しない熱交換器と送風フアンを備えた冷却室が配置される。このような中段野菜室の事例でも、冷却室の上部に重なるように張出部１４５を設けるようにするとよい。
【００３８】
更に、従来から第１収納容器１４０はＰＰ樹脂材料で形成されることが多い。このような樹脂材料では、第１収納容器１４０が大型化すると、歪みが大きな課題となる。この実施例によれば、第１収納容器１４０の後部を段差のある形状とすることにより、樹脂材料で形成される第１収納容器１４０の歪みを軽減することができる。特に、この実施例では、第１収納容器１４０の両側に、第２収納容器１８０を支持する第２支持レール２２２を設けているので、この第２支持レール２２２が設けられる上部開口部１４１の両側縁部１４４に歪みが生じると、第２収納容器１８０の移動に支障をきたす課題が懸念される。しかし、この実施例によれば、この課題が軽減される。
【００３９】
以下、図２から図１５を参照して、この実施例に係る冷蔵庫１を更に説明する。ここで、図２はこの第1実施例に係る冷蔵庫の部分縦断面図である。図３から図１０が野菜室を構成する各部分の説明図である。図１１と図１２は連動機構部と解放機構部の動作説明図である。図１３と図１４は野菜室の操作説明図である。
【００４０】
先ず、図２を参照して、この特徴的な野菜室１００を備えた冷蔵庫１の全体構造を具体的に説明する。図２において、冷蔵庫１の筐体４は、鋼板製の外箱５と樹脂製の内箱６との間に断熱材７を発泡充填して形成することにより、前方に開放した貯蔵室２が筐体４に形成される。この貯蔵室２は断熱材を備えた仕切壁３により、上下に分割されることにより、温度帯の異なる複数の貯蔵室２に分割される。この実施例では、最上段に冷蔵室２０を配置し、中段に冷凍室３０を配置し、最下段に野菜室１００を配置している。ここで、冷凍室３０は、断熱材を備えない仕切壁８により上下に２分割されている。
【００４１】
そして、この実施例では、冷蔵室２０に開閉扉２１を備え、上下２段に分割される冷凍室３０には引出扉３１、３２をそれぞれ備え、野菜室１００には引出扉１０１を設けている。ここで、冷凍室３０の引出扉３１、３２は野菜室１００の引出扉１０１と同様な構造を備え、かつ、公知の構造を備える収納容器を備えているため、ここでは詳細説明を省略する。また、引出扉１０１には、この引出扉１０１を引き出すためのハンドル１０２が設けられている。なお、引出扉３１、３２などにも同様なハンドルが設けられている。
【００４２】
この冷蔵庫１の背面下部は、筺体４を切り欠くように形成される機械室１０が形成される。この機械室１０には圧縮機１１やドレン皿１２が配置されている。また、機械室１０の上部の筺体４内には熱交換器１６と送風機１７と分配器１８などを備えた冷却室１５が配置される。即ち、この実施例に係る冷蔵庫１は、最下部に配置される野菜室１００の後方に機械室１０、中段の冷凍室３０の後方に冷却室１５を配置する構造を備えている。
【００４３】
そして、この実施例によれば、熱交換器１６で冷やされた冷気は、送風機１７によって分配器１８と冷凍室３０に供給される。この実施例では、分配器１８の開閉を制御することにより、冷蔵室２０と野菜室１００への冷気の供給が制御され、これにより各貯蔵室の温度を制御している。
【００４４】
具体的には、冷凍室３０に送風された冷気は、複数の送風口３３から冷凍室３０内に送風されることで、冷凍室３０内を冷却した後、熱交換器１６の下部に戻される。一方、分配器１８に供給された冷気は、冷蔵室２０に供給されて冷蔵室２０を冷やした後、図示しない通風路を介して熱交換器１６の下部と野菜室１００に供給される。野菜室１００に供給された冷気は、図示しない通路を介して熱交換器１６の下部に戻される。
【００４５】
次に、図３から図１０を参照して、野菜室を構成する各部分を具体的に説明する。
【００４６】
先ず、図３と図４を参照して、野菜室の引出扉の構造を説明する。ここで、図３は、支持枠を備えた引出扉の後方斜視図である。図４は第１引出機構部の取付位置の説明図である。
【００４７】
図３において、野菜室（下部貯蔵室）１００の引出扉１０１の内壁面には、ロ字状の支持枠２０１が取り付けられている。この支持枠２０１は、一端を引出扉１０１の内壁面の両側に取り付けられる一対の第１移動部材２０３と、この一対の第１移動部材２０３の他端を連結する連結部材２０４とで構成される。一対の第１移動部材２０３は移動のための公知のローラを備えているが、ここでは省略している。
【００４８】
図４において、この実施例では、一対の第１移動部材２０３が、野菜室１００の両側の内壁面に設けられる第１支持レール２０２に支持されて、引出扉１０１を前後に移動させることができる。そして、このロ字状の支持枠２０１の中央の開口部に第１収納容器１４０を挿入して支持する構造としている。
【００４９】
ところで、図４において、冷蔵庫１の最下部に野菜室１００を設けると、野菜室１００の後方に機械室１０が配置されるため、この野菜室１００の後方下部に機械室１０が張り出すこととなる。このような、機械室１０が張り出した野菜室１００に第１引出機構部２００を配置しようとすると、図４（ｂ）図の左側に示すように、野菜室１００の両側に設けられる第１支持レール２０２が高い位置となる。
【００５０】
即ち、第１引出機構部２００の場合、第１支持レール２０２と支持枠２０１は長手方向の一部が重なることで、支持枠２０１が第１支持レール２０２に支持される。したがって、支持枠２０１を支持するためには、ある程度の重なる部分が必要である。即ち、第１支持レール２０２を長くすることが、収納容器１２０を前方に大きく引き出すことができる。
【００５１】
しかし、この実施例に係る収納容器１２０は、上部後方を機械室１０の上部に位置するような張出部１４５を備えている。したがって、収納容器１２０の支持部材（支持枠２０１）を兼用する第１移動部材２０３が張出部１４５の下端部より高い位置に配置されると、支持部材（支持枠２０１）の取り付け構造が複雑となるばかりか、収納容器１２０を支持する強度を得ることが難しくなる。
【００５２】
また、この実施例に係る第１収納容器１４０は、上部開口部１４１の後端縁部１４３を前端縁部１４２より低い位置に形成している。このため、第１支持レール２０２を高い位置に設けると、この第１支持レール２０２に支持される第１移動部材２０３が後端縁部１４３より高い位置となり、第１移動部材２０３の配置や蓋体１６０との嵌合構造が複雑となる。
【００５３】
そこで、この実施例では、野菜室１００に張り出した機械室１０の両側に凹部１２３を形成し、この凹部１２３に第１支持レール２０２を配置することで、第１引出機構部２００の位置を低くして、強度と十分な引出し量を確保している。
【００５４】
次に、図５を参照して、第１収納容器１４０を説明する。ここで、図５は、第１収納容器の構造説明図であり、（ａ）図が後方斜視図、（ｂ）図が強度比較図である。
【００５５】
図５において、この実施例に係る第１収納容器１４０は、野菜室１００の貯蔵空間１２１の主体を成すものであり、ＰＰ樹脂材料で形成される。この第１収納容器１４０は、両側の内壁面に第２収納容器１８０を支持する第２支持レール２２２を備え、この第２支持レール２２２に第２収納容器１８０を配置することで、貯蔵空間１２１を上下２段に分割された貯蔵空間としている。この実施例では、下段の下部収納空間１２４を第２収納容器１８０で構成される上段の上部収納空間１２５より高さのある貯蔵空間としている。
【００５６】
即ち、下部収納空間１２４の高さＨ１は上部収納空間１２５の高さＨ２より大きく設定している。そして、上部収納空間１２５の後部を後方に張り出した張出部１４５とすることにより、上部収納空間１２５の奥行き寸法を下部収納空間１２４の奥行き寸法より大きく設定している。これにより、下部収納空間１２４は、その後方に機械室１０を配置するスペースを確保するとともに、大物野菜を収納可能な貯蔵空間としている。上部収納空間１２５は、その後方を機械室１０の上部まで延びる奥行きがある浅い貯蔵空間とすることで、この貯蔵空間を構成する第２収納容器１８０を収めて、小物野菜の収納に最適な貯蔵空間とすることができる。
【００５７】
第１収納容器１４０の上部開口部１４１は、その前部を構成する前端縁部１４２より、その後部となる張出部１４５の後方の下端部を構成する後端縁部１４３を低く形成し、この前端縁部１４２と後端縁部１４３とを結ぶ両側縁部１４４を後方に徐々に傾斜する形状としている。
【００５８】
即ち、両側縁部１４４は、第１収納容器１４０の最も高い高さＨに形成される前端縁部１４２と、張出部１４５の後方の最下部となる高さＨ１に形成される後端縁部１４３とを直線的に結ぶ傾斜する形状としている。これにより、第１収納容器１４０の後方に高さＨ２を備えた段差が形成され、この段差により、後端縁部１４３の上方を第２収納容器１８０を後方に逃がす移動路１２２とすることができる。
【００５９】
また、両側の内壁面に形成される第２支持レール２２２は、後端縁部１４３と同じ高さまたは、後端縁部１４３よりやや高く形成することにより、第２収納容器１８０を後方にスムーズに移動させるようにしている。
【００６０】
また、この実施例に係る第１収納容器１４０は、その両側の外壁面に、張出部１４５の下端部と連続するように両側に張り出した支持部材１４６を形成している。この実施例では、図４に示す支持枠２０１に、第１収納容器１４０を上方から挿入することにより、一対の支持部材１４６と張出部１４５の下端部が支持枠２０１に着脱可能に支持される。
【００６１】
ところで、上方が開放した第１収納容器１４０をＰＰ樹脂材料で形成すると、（ｂ）図の左側に示すように、上部開口部１４１の４辺が内側に歪みやすいことが知られている。この実施例に係る第１収納容器１４０は、その上部開口部１４１の周囲を蓋体１６０の端部と密閉構造で連結する結合部２８０とするので、この歪みは大きな課題である。
【００６２】
この実施例に係る第１収納容器１４０では、前記課題を解決するために、（ｂ）図右側に示すように、両側の壁面の内壁には第２支持レール２２２、外壁には支持部材１４６を形成するとともに、後部壁面には、張出部１４５の幅広の底面部１４７を形成しているので、前記歪みを軽減することができる。
【００６３】
なお、第１収納容器１４０の前部壁面は、その外壁に突起部１４８を設け、この突起部１４８が引出扉１０１の内壁面に取り付けられる構造を採用している。このため、第１収納容器１４０の４辺の強度を向上することができるから、前記密閉構造を取りやすい形状とすることができる。
【００６４】
次に、図６を参照して、蓋体１６０を具体的に説明する。図６は蓋体の外観図であり、（ａ）図が上方からみた斜視図、（ｂ）図が下方（内面）からみた斜視図である。
【００６５】
図６において、この実施例に係る蓋体１６０は、第１収納容器１４０とともに密閉された貯蔵空間１２１（収納容器１２０）を構成するものであり、ＡＢＳ樹脂材料などで形成される。この蓋体１６０は、第1収納容器１４０の上部開口部１４１を覆いつつ、箱型の収納容器１２０を構成する。このため、蓋体１６０の後方は高さＨ２（図５参照）を備え、この高さのある後部から前方に向かって徐々に先細りの形状となっている。
【００６６】
蓋体１６０の両側の外壁には、第４引出機構部２６０を構成する第４移動部材２６１が外方に張り出して形成される。この一対の第４移動部材２６１が野菜室１００の両側の内壁面に形成される第４支持レール２６２にスライド移動可能に支持される。
【００６７】
一方、蓋体１６０の両側の内壁には、第３引出機構部２４０を構成する第３支持レール２４２が形成される。この一対の第３支持レール２４２を介して、第２収納容器１８０の両側縁部（第３移動部材）２４１をスライド移動可能に支持することができる。
【００６８】
また、この実施例では、蓋体１６０の上面に大きな透明窓１６２を設けて、収納容器１２０の内部を覗き見ることができる。
【００６９】
次に、図７を参照して、第２収納容器１８０を具体的に説明する。ここで、図７は第２収納容器の外観斜視図である。
【００７０】
図７において、この第２収納容器１８０は、収納容器１２０の内部にあって、貯蔵空間１２１を上下に分割し、その上段となる上部収納空間１２５を構成するものであり、ＰＳ樹脂材料などで形成される。この第２収納容器１８０の両側の上端部には、第３引出機構部２４０を構成する両側縁部（第３移動部材）２４１が形成される。この一対の両側縁部（第３移動部材）２４１が蓋体１６の内壁面１６１に形成される一対の第３支持レール２４２にスライド移動可能に支持される。
【００７１】
一方、この第２収納容器１８０の両側の下端部には、第２引出機構部２２０を構成する底部（第２移動部材）２２１が形成される。この一対の底部（第２移動部材）２２１が第１収納容器１４０の両側の内壁面に形成される一対の第２支持レール２２２にスライド可能に支持される。
【００７２】
前記したように、この第２収納容器１８０は、上部が開放し、かつ奥行き寸法があって深さの浅い収納空間を構成するので、小物野菜を収納するのに最適な空間を構成するものである。
【００７３】
次に、図８と図９を参照して、収納容器１２０の積層構造を更に説明する。ここで、図８は、野菜室内で積層される収納容器を示す外観図である。図９は野菜室内で積層構造で収納される収納容器の横断面図である。
【００７４】
図８において、この実施例に係る収納容器１２０は、破線で示す野菜室１００に収納される状態では、その内部の貯蔵空間１２１に第２収納容器１８０を収納し、この第１収納容器１４０の上部を構成する上部開口部１４１を蓋体１６０が覆うように収納される。これにより、第２収納容器１８０を収納する貯蔵空間１２１を密閉された空間とすることができる。この収納状態の内部の積層構造を図９に示す。
【００７５】
図９において、第１収納容器１４０と蓋体１６０で構成される収納容器１２０は、第１支持レール２０２と第１移動部材２０３で構成される第１引出機構部２００を介して、野菜室１００内で前後方向に移動可能に支持される。したがって、収納容器１２０と野菜室１００との間には隙間空間１０３が形成されるので、この隙間空間１０３を介して、野菜室１００内に供給される冷気が循環して、収納容器１２０全体を冷却することができる。  
ここで、蓋体１６０もまた、第４移動部材２６１と第４支持レール２６２とで構成される第４引出機構部２６０により移動可能に支持されるが、第１収納容器１４０が野菜室１００内に収納された状態では、第４移動部材２６１が第４支持レール２６２と接触しないように上部に配置される。つまり、第４移動部材２６１と第４支持レール２６２との間には第１隙間２６３が形成されるように設定される。これにより、第１収納容器１４０とともに蓋体１６０が引き出されても、第４移動部材２６１と第４支持レール２６２とが接触しないので、２つの部材間の接触による磨耗を軽減するとともに、収納容器１２０の引き出しをスムーズに行うことができる。
【００７６】
また、密閉された貯蔵空間１２１の内部に収納される第２収納容器１８０は、底部（第２移動部材）２２１と第２支持レール２２２とで構成される第２引出機構部２２０により支持される。これにより、貯蔵空間１２１を、第２収納容器１８０の下方に形成される下部収納空間１２４と、第２収納容器１８０で形成される上部収納空間１２５とに分割することができるので、貯蔵空間１２１における食品の積層収納を可能とすることができる。
【００７７】
ここで、第２収納容器１８０は、両側縁部（第３移動部材）２４１と第３支持レール２４２とで構成される第３引出機構部２４０により移動可能に蓋体１６０に支持されるが、第１収納容器１４０が野菜室１００内に収納された状態では、両側縁部（第３移動部材）２４１が第３支持レール２４２と接触しないように上部に配置される。つまり、両側縁部（第３移動部材）２４１と第３支持レール２４２との間には第２隙間２４３が形成されるように設定される。これにより、後で説明するように、収納容器１２０が野菜室１００から引き出されて、蓋体１６０のみが、野菜室１００内に戻されても、両側縁部（第３移動部材）２４１と第３支持レール２４２とが接触しないので、２つの部材間の接触により磨耗を軽減するとともに、蓋体１６０の移動にともなう第２収納容器１８０の不要な移動を阻止することができる。
【００７８】
なお、上記の説明では、第３引出機構部２４０と第４引出機構部２６０をそれぞれ構成する２つの部材間の隙間の存在を説明したが、野菜室１００の両側の内壁面と蓋体１６０と第２収納容器１８０との間もまた、互いに接触しないように、ガタツキが生じない程度の図示しない隙間をもって形成する。
【００７９】
このように、この実施例に係る蓋体１６０は、少なくとも野菜室１００内に第１収納容器１４０が収納された状態では、第１収納容器１４０の上部開口部１４１の上端部に形成される結合部２８０との接触により支持され、第３引出機構部２４０と第４引出機構部２６０、及び野菜室１００の両側の内壁面や第２収納容器１８０と接触しない構造となっている。
【００８０】
次に、図１０を参照して、蓋体１を支持する第１収納容器１４０の上端部の結合部２８０を説明する。ここで、図１０は結合部の断面図であり、（ａ）図が両側縁部近傍の横断面図、（ｂ）図が前端縁部近傍の縦断面図、（ｃ）図が後端縁部近傍の縦断面図を示している。
【００８１】
先ず、（ａ）において、両側縁部１４４の上端部は、その長手方向に沿って、凸リブ２８１が形成され、この両側縁部１４４に支持される蓋体１６０の両側端部１６３は、その長手方向に沿って、前記凸リブ２８１と嵌合する凹溝２８２が形成される。この実施例に係る結合部２８０の構造によれば、結合部２８０は蓋体１６０の移動方向に対して斜めに形成され、かつ、凸リブ２８１と凹溝２８２は、その長手方向を蓋体１６０の移動方向に沿って形成される。このため、蓋体１６０が移動して第１収納容器１４０の上端に支持される場合は、凸リブ２８１と凹溝２８２との間の隙間が徐々に小さくなる。
【００８２】
即ち、（ａ）図の左側の隙間が開いた状態から、（ａ）図の右側の隙間が閉じて凸リブ２８１と凹溝２８２とが接触した状態となる。この右側の隙間が極めて少ない状態であれば、この結合部２８０からの冷気の流出を軽減することができる。また、この構造によれば、（ａ）図の右側のように結合部２８０が完全に接触しない状態であっても、（ａ）図の左側のように、凸リブ２８１と凹溝２８２とが一部ラップするような状態であれば、冷気の流出を軽減することができる。
【００８３】
また、（ｂ）図に示すように、前端縁部１４２の上端部は、外側が高く、内側が低い段差形状に形成される。一方、この前端縁部１４２と嵌合する蓋体１６０の前端部１６４は、上部が張り出して、下部が凹んだ段差形状に形成される。このため、（ｂ）図の左側の状態から、蓋体１６０が移動して、（ｂ）図右側の状態のように、前端縁部１４２と前端部１６４の段差形状が嵌合することにより、冷気の流出を軽減することができる。そしてまた、この構造によれば、（ｂ）図の右側のように結合部２８０が完全に接触しない状態であっても、（ｂ）図の左側のように、前端縁部１４２と前端部１６４とが一部ラップするような状態であれば、冷気の流出を軽減することができる。
【００８４】
また、（ｃ）図に示すように、後端縁部１４３の上端部は、内側が高く、外側が低い段差形状に形成される。一方、この後端縁部１４３と嵌合する蓋体１６０の後端部１６５は、外側が張り出して、内側が凹んだ段差形状に形成される。このため、（ｃ）図の左側の状態から、蓋体１６０が移動して、（ｃ）図右側の状態のように、後端縁部１４３と後端部１６５の段差形状が嵌合することにより、冷気の流出を軽減することができる。そしてまた、この構造によれば、（ｂ）図の右側のように結合部２８０が完全に接触しない状態であっても、（ｂ）図の左側のように、後端縁部１４３と後端部１６５とが一部ラップするような状態であれば、冷気の流出を軽減することができる。
【００８５】
なお、この実施例に係る結合部の構造によれば、結合部２８０の接触が少ないので、２つの部材間の接触による磨耗を軽減することができる。もちろん、この結合部２８０に冷気漏れを軽減する図示しない通常のパッキンを設ける構造としても良い。
【００８６】
次に、図１１を参照して、連動機構部３００の具体的な構造と、その動作を具体的に説明する。ここで、図１１は連動機構部の動作説明図であり、（ａ）図が収納容器を野菜室内に収納した状態を示し、（ｂ）図が収納容器を野菜室から引き出した状態を示す。
【００８７】
先ず、（ａ）図を参照して、連動機構部３００の具体的な構造の１例を説明する。この実施例に係る第１収納容器１４０は、図示しない第１引出機構部２００を介して野菜室１００から前後方向（図面上の左右方向）に移動可能に設けられている。そして、蓋体１６０もまた、図示しない第４引出機構部２６０を介して、前後方向に移動可能に設けられている。
【００８８】
このような引出構造の収納容器１２０に対して、この実施例に係る連動機構部３００は、第１収納容器１４０の張出部１４５の両側近傍に設けられるロック機構部３２０と、ロック機構部３２０の移動路３３０上でかつ野菜室１００の両側の内壁面または第１支持レール２０２に設けられる開放ツメ３３１と、蓋体１６０を常に野菜室１００内に戻そうとするバネ材３１０とを含んで構成される。
【００８９】
ロック機構部３２０は、その中央を回転軸３２３によって第１収納容器１４０に回転可能に支持され、後端部３２１が蓋体１６０の下端部を保持できるように上方に立ち上がって形成され、前端部３２２は移動路３３０に設けられる開放ツメ３３１によって上方に力を受けるように斜めに立ち上がって形成される。
【００９０】
この構造を備えた連動機構部３００によれば、ロック機構部３２０が開放ツメ３３１との間の長さＬ１だけ移動すると、蓋体１６０の固定を解除して、バネ材３１０の作用により、蓋体１６０のみを野菜室１００内に引き戻すことができる。
【００９１】
つまり、今、（ａ）図の状態では、野菜室１００内に収納容器１２０が収納された状態となっている。この状態からハンドル１０２を介して引出扉１０１を前方（図面上の右側）に引き出すと、図示しない第１引出機構部２００により収納容器１２０全体を引き出すことができる。この（ａ）図の状態では、第１収納容器１４０に取り付けられるロック機構部３２０の後端部３２１が蓋体１６０を保持する姿勢をとっているので、蓋体１６０は第１収納容器１４０とともに引き出される。
【００９２】
さて、収納容器１２０が、図（ｂ）のように、野菜室１００の前方に引き出されると、ロック機構部３２０も、仮想的な移動路３３０を移動する。しかし、ロック機構部３２０が長さＬ１だけ移動すると、その前端部３２２が固定位置の開放ツメ３３１に当たって上方に押し上げられる。つまり、この作用により、ロック機構部３２０が回転軸３２３を中心に回転するので、後端部３２１は蓋体１６０の下端部を開放するように下方に回転するので、蓋体１６０のロック状態を開放することができる。この採用により、蓋体１６０は、バネ材３１０の力により野菜室１００内に引き戻されることとなる。
【００９３】
この実施例によれば、蓋体１６０は、第１収納容器１４０を前方に所定の位置まで引き出されるまで、第１収納容器１４０を覆った状態で引き出されるので、引き出しによる冷気の漏れを軽減することができ、また、所定の位置まで第１収納容器１４０が引き出されると、蓋体１６０はバネ材３１０により野菜室１００内に引き戻されるので、収納容器１２０の食品の出し入れに支障をきたすことがない。
【００９４】
特に、従来の野菜室の構造では、蓋体は野菜室内に常に配置されているために、この蓋体の存在を一般使用者は認識することが少ない。この実施例では、従来構造に比べて密閉構造が向上した蓋体１６０を収納容器１２０の引き出しにともなって引き出すことにより、従来より向上した密閉構造の蓋体１６０の存在を一般消費者に認識させることもまたできる。
【００９５】
次に、連動機構部３００のロック状態を任意の位置で解除することができる解放機構部３４０について説明する。ここで、図１２は連動機構部３００の具体的な構造と、その動作を具体的に説明する。ここで、図１２は解放機構部の動作説明図であり、（ａ）図が収納容器を野菜室内に収納した状態を示し、（ｂ）図が収納容器を野菜室から引き出した状態を示す。
【００９６】
図において、図１１で説明したように、この実施例では、収納容器１２０を所定の位置まで引き出すと、蓋体１６０のみを野菜室１００に引き戻すことができるから、収納容器１２０からの食品の出し入れが可能となる。しかし、この構造によれば、収納容器１２０を所定の位置まで引き出さないと食品の出し入れができないという課題がある。
【００９７】
そこで、この実施例では、任意の位置で連動機構部３００を開放する解放機構部３４０を設けている。具体的には、引出扉１０１の上端部に設けられる開放ボタン３４１と、この開放ボタン３４１と連動機構部３００とを連結するワーヤ３４２などを設け、この開放ボタン３２１の操作に連動して連動機構部３００の固定状態を解除することができる。
【００９８】
つまり、開放ボタン３４１は、図示しないバネを備えて、常に、元の状態に戻ろうとする構造となっている。そして、ワイヤー３４２の一端は、開放ボタン３４１に連結され、他端は前端部３２２に取り付けられている。
【００９９】
（ａ）図に示す通常の状態のワイヤー３４２は、ロック機構部３２０のロック状態を維持している。この（ａ）図の状態から収納容器１２０が引き出されると、（ｂ）図に示すように、引出扉１０１の上端に設けた開放ボタン３４１が操作可能となる。この（ｂ）図の状態で、開放ボタン３４１を押すと、ロック機構部３２０の前端部３２２はワイヤー３４２により押されて、ロック機構部３２０のロック状態を解除する方向に回転させる。この作用により、蓋体１６０の後ろ下端部を保持していた後端部３２１が下方に回転するので、保持状態が解除されるので、蓋体１６０はバネ材３１０の作用により、野菜室１００内に引き戻されることとなる。
【０１００】
このように、この実施例では、解放機構部３４０を設けることにより、収納容器１２０を引き出した任意の位置で蓋体１６０のみ野菜室１００内に戻して、収納容器１２０からの食品の出し入れを可能とすることができる。
【０１０１】
次に、図１３から図１５を参照して、この実施例に係る引出構造を備えた野菜室の操作方法を説明する。ここで、図１３から図１５は、野菜室の動作状態を示す縦断面図である。
【０１０２】
先ず、図１３の（ａ）図において、この実施例では、野菜室１００内に収納される収納容器１２０は、第１収納容器１４０とこの上部の上部開口部１４１を覆う蓋体１６０により密閉された貯蔵空間１２１を構成することができる。この貯蔵空間１２１は密閉されているために、野菜室１００内に供給される冷気が貯蔵空間１２１内に侵入しない（しずらい）ために、野菜室１００に収納される食品の乾燥を軽減することができる。つまり、この実施例の野菜室１００では、間接的に収納容器１２０内に収納される食品を冷却することができる。
【０１０３】
また、この実施例では、収納容器１２０内に第２収納容器１８０を収納することにより、貯蔵空間１２１を上下２段に分割して、食品の分割収納を可能とすることができる。
【０１０４】
さて、この実施例に係る野菜室１００によれば、ハンドル１０２を介して引出扉１０１を前方に引き出すことにより、（ｂ）図に示すように、収納容器１２０全体を野菜室１００から引き出すことができる。この引き出された収納容器１２０は、まだ前記密閉状態が解除されていない。したがって、収納容器１２０内の冷気は外に逃げることがない。
【０１０５】
なお、この実施例では、収納容器１２０を野菜室１００の外に引き出した状態でも密閉度を維持する構造としているが、必ずしも、厳格な密閉度を維持する構造でなくとも良い。これを図１５で説明する。
【０１０６】
即ち、図１０でも説明したように、第１収納容器１４０の上部開口部１４１と蓋体１６０の結合部２８０は、一部がラップする程度でもある程度の密閉度を保つことができる。また、野菜室１００から引き出した収納容器１２０から食品を出し入れするためには蓋体１６０を野菜室１００に戻すことが必要である。一方、野菜室１００内では、結合部２８０の密着を強くして密閉度を向上することが有効である。
【０１０７】
そこで、図１５の実施例では、収納容器１２０を野菜室１００内に収納した状態では、野菜室１００の背面壁に設けた突起部３０１により、蓋体１６０が背面から前方に押されるように形成する。引出扉１０１は図示しない扉パッキンなどで、野菜室１００内を密閉された状態となるように保持されるので、背面から押される蓋体１６０は結合部２８０の密着度を強くするように作用する。ここで、突起部３０１はバネ材や軟質材などで形成するようにしてもよい。
【０１０８】
そして、この実施例では、突起部３０１により、蓋体１６０が背面側から押されることにより、収納容器１２０を野菜室１００内に収納した状態では、ロック機構部３２０の後端部３２１が蓋体１６０の背面と接触しない構造としている。つまり、この状態では、後端部３２１と蓋体１６０の背面との間に隙間３０２が形成される。
【０１０９】
この構造によれば、収納容器１２０が野菜室１００の外に引き出されると、蓋体１６０はバネ材３１０により後方に引っ張られるので、この隙間３０２の大きさだけ、第１収納容器１４０の上部開口部１４１と蓋体１６０との間の結合部２８０に僅かに隙間が生じた状態で引き出されることとなる。この僅かの隙間は、収納容器１２０からの冷気の流失を大きくするものではなく、また、所定の位置、または任意の位置で蓋体１６０が野菜室１００内に戻る動作をスムーズにすることができる。
【０１１０】
図１３の（ｂ）図に戻り、この実施例では、蓋体１６０に透明窓１６２を設けているので、この透明窓１６２を介して、第２収納容器１８０に収納されている小物食品を確認することができる。また、この引き出された収納容器１２０から食品を出し入れする場合は、収納容器１２０を所定の位置まで引き出すか、あるいは、開放ボタン３４１を操作することで、図１４（ａ）図に示すように蓋体１６０のみを野菜室１００内に戻すことができる。
【０１１１】
図１４において、前記したように、第１収納容器１４０の上部に蓋体１６０が位置する場合は、第３引出機構部２４０を構成する両側縁部（第３移動部材）２４１と第３支持レール２４２、及び第４引出機構部２６０を構成する第４移動部材２６１と第４支持レール２６２とは接触していない。
【０１１２】
しかし、（ａ）図のように、蓋体１６０のみが野菜室１００内に移動する場合は、第４引出機構部２６０がないと蓋体１６０を野菜室１００内で支持することができない。つまり、この実施例では、蓋体１６０のみが野菜室１００内に移動する場合は、第１収納容器１４０に支持される高い位置からやや低い位置に設けられる第４支持レール２６２に第４移動部材２６１が乗り移るよう支持される。この構造により、蓋体１６０のスムーズな移動が可能となる。また、この蓋体１６０が野菜室１００内に戻ることにより、第２収納容器１８０からの食品の出し入れが可能になる。
【０１１３】
また同様に、第２収納容器１８０を野菜室１００内に戻す場合は、第２引出機構部２２０がないと第２収納容器１８０を野菜室１００内で支持することができない。つまり、この実施例では、第２収納容器１８０を野菜室１００内に戻す場合は、第１収納容器１４０の底部（第２移動部材）２２１が第２支持レール２２２に支持される高い位置から、やや低い位置となる第３支持レール２４２に両側縁部（第３移動部材）２４１が乗り移るよう支持される。この構造により、第２収納容器１８０のスムーズな移動が可能となる。また、この第２収納容器１８０が野菜室１００内に戻ることにより、第１収納容器１４０からの食品の出し入れが可能になる。
【０１１４】
さて、図１４の（ｂ）図の状態から、第１収納容器１４０を野菜室１００内に戻すと、第３引出機構部２４０で支持される第２収納容器１８０は、第２引出機構部２２０の支持に乗り換えることとなる。この際、第２収納容器１８０は第３引出機構部２４０で支持される低い位置から、第２引出機構部２２０で支持される高い位置に乗り換えるので、両側縁部（第３移動部材）２４１の前端部と第３支持レール２４２の下端部は乗りあげをスムーズにするために図示はしないが丸み形状や斜面形状にしている。
【０１１５】
また、第１収納容器１４０を完全に野菜室１００内に戻すと、第１収納容器１４０の上部開口部１４１と蓋体１６０の結合部２８０は傾斜面となっているので、両部材間の擦れによる磨耗も少なく、両部材間の密着を可能とすることができる。
（第２実施例）
次に、図１６から図１８を参照して、この発明に係る第２実施例を具体的に説明する。ここで、図１６は、野菜室内で積層される収納容器を示す外観図である。図１７は引出扉の開閉機構の概略図である。図１８は引出扉の開閉機構の要部拡大断面図である。なお、第１実施例と同様な部位や矢印などは同一符号をもって示して、重複した説明を省略する。
【０１１６】
この発明に係る第２実施例は、第１実施例のようには、収納容器の背面に張出部を形成することなく、略直方体の収納容器１２０ａを採用したものである。この収納容器１２０ａを採用する場合は、野菜室１００を最下部に設ける冷蔵庫にあっては、冷蔵庫の上部に圧縮機を備えたトップコンプレッサーと呼ばれるタイプの冷蔵庫に適用できる。また、極一般的には、野菜室１００を貯蔵室の中段に配置したものに適用できる。
【０１１７】
この実施例の大きな特徴の１つは、略直方体の収納容器１２０ａをダブルレール機構の第１引出機構部２００ａで前後方向に移動可能に設けた点である。
【０１１８】
この実施例に係る収納容器１２０ａは、破線で示す野菜室１００に収納される状態では、その内部の貯蔵空間１２１ａに第２収納容器１８０を収納し、この第１収納容器１４０ａの上部を構成する上部開口部１４１を蓋体１６０が覆うように収納される。これにより、第２収納容器１８０を収納する略箱型の貯蔵空間１２１ａを密閉された空間とすることができる。
【０１１９】
図１７、図１８において、この実施例に係る略箱型の貯蔵空間１２１ａの場合、貯蔵空間１２１ａを構成する収納容器１２０ａを大きく前方に引き出しずらい課題がある。そこで、この実施例では、第１引出機構部２００ａをダブルレール機構で形成している。
【０１２０】
図１７、図１８において、第１引出機構部２００ａは、野菜室１００の両側の内壁面に埋め込んで形成される第１のガイドレール６１０と、該第１のガイドレール６１０上をローラ６２１を介して移動する第２のガイドレール６２０と、該第２のガイドレール６２０上をローラ６３１を介して移動する引出扉１０１を備えた支持体６３０と、第１のガイドレール６１０と第２のガイドレール６２０の分離を防止する第１のストッパ６４０と、第２のガイドレール６２０と支持体６３０の分離を防止する第２のストッパ６４１とから構成され、第１収納容器１４０ａが、前記支持体６３０に着脱可能に取付けられる。
【０１２１】
第１のガイドレール６１０は、断面が「コ」字状に形成され、ローラ６２１とその回転軸６２２が移動でき、かつ、ローラ６２１の直径と適度な隙間を備えた大きさに形成される。第２のガイドレール６２０は、下端部が内側に屈折した「Ｌ」字状の断面形状を備え、外側面の後部側にローラ６２１が回転軸６２２を介して取り付けられ、内側面の前部側にローラ６３１が回転軸６３２を介して取り付けられる。
【０１２２】
ローラ６２１，６３１は少なくとも２個以上設けられ、第２のガイドレール６２０と支持体６３０を水平に移動できるようにしている。支持体６３０は、「Ｓ」字状の断面形状を備え、「Ｓ」字状の上部「コ」字状部を、ローラ６３１とその回転軸６３２が移動でき、かつ、ローラ６３１の直径と適度な隙間を備えた大きさに形成される。なお、この実施形態では、第２のガイドレール６２０を「Ｌ」字状、支持体６３０を「Ｓ」字状とすることにより、第１引出機構部２００ａの剛性を高めている。
【０１２３】
左右に設けた支持体６３０は、その前部を引出扉１０１に、その後部を連結部材６５０にそれぞれ取り付けることで、上面から見て「ロ」字状の枠体を構成し、該枠体に第１収納容器１４０ａを挿入して、第１収納容器１４０ａの支持部材１４６を、支持体６３０と連結部材６５０で支持することにより、第１収納容器１４０aが着脱自在に設けられる。また、第１、第２のストッパ６４０，６４１は、第１のガイドレール６１０の先端部と、支持体６３０の後端部に、ローラ６２１，６３１の移動を阻止するような突起状をなして取り付けられている。
【０１２４】
さて、この第１引出機構部２００ａによれば、第２のガイドレール６２０が、第１のガイドレール６１０と支持体６３０の中間連結部材となって、支持体６３０に取付けられる収納ケース２０２を水平を維持したまま大きく前方に引き出すことができるから、第１収納容器１４０ａや第２収納容器１８０全体を上方から見渡すことができるとともに、食品の出し入れを容易に行うことができる。
【０１２５】
この際、第１引出機構部２００ａは最大限に引き出した状態で、ストッパ６４０，６４１によりローラ６２１，６３１の移動が阻止されるから、引出扉１０１の引き出し過ぎによる落下を防止することができる。更に、第１収納容器１４０が大きく前方に引き出されるから、第１収納容器１４０の取外しを容易にすることができるので、第１収納容器１４０の清掃を容易に行うことができる。一方、収納状態では、第１、第２のガイドレール６１０，６２０と支持体６３０が３重になってコンパクトに収納される。 
（第３実施例）
次に、図１９を参照して、この発明に係る第３実施例の冷蔵庫を具体的に説明する。ここで、図１９は第３実施例に係る収納容器１２０ｂの構造図であり、（ａ）図と（ｂ）図が容器形状の異なる第２収納容器を配置した状態の平面図、（ｃ）図が収納容器の縦断面図である。
【０１２６】
図１９において、この実施例に係る収納容器１２０ｂの大きな特徴の１つは、収納容器１２０ｂの貯蔵空間１２１ｂを大きさの異なる複数の貯蔵空間に分割したものである。
【０１２７】
即ち、前記した実施例では、収納容器１２０、１２０ａの貯蔵空間１２１、１２１ａを上下に分割する実施例で説明したが、これに限定されるものではない。例えば、図１０の（ａ）図は３つの貯蔵空間に分割したものであり、（ｂ）図は５つの貯蔵空間に分割した構造を示している。ここで、（ｃ）図は、ペットボトルなどを収納する縦に長い前部収納空間を断面した断面図である。
【０１２８】
（ａ）図と（ｃ）図において、この実施例では、第１収納容器１２０の上部に形成される上部収納空間１２５を構成する第２収納容器１８０ａの前後の長さを、第１収納容器１４０の上部の前後方向の長さより短くして、第１収納容器１２０の後方に配置した実施例を示す。この実施例では、第２収納容器１８０ａの前方に高さのある前部収納空間１２６とすることができる。したがって、この第２収納容器１８０ａを採用すれば、貯蔵空間１２１ａの前部に高さのある前部収納空間１２６、その後方の下部にやや高さのある大物野菜を収納する下部収納空間１２４ａ、この下部収納空間１２４ａの上部に小物野菜を収納する深さの浅い上部収納空間１２５ａを設けて分別収納が可能である。
【０１２９】
（ｂ）図と（ｃ）図において、この実施例では、前部の片側が切り欠かれた第２収納容器１８０ｂを、第１収納容器１４０の上部に積層する構造を採用している。この構造によれば、切欠部１８１が形成される部分に高さのある前部収納空間１２６を形成し、その片側には、第２収納容器１８０により前後に分割される更なる小物野菜室１２８ａ、１２８ｂが上下に分割されて形成される。そして、前部収納空間１２６には、上部収納空間１２５と下部収納空間１２４が上下に形成される。
【０１３０】
この(ａ)(ｂ)図に示す第２収納容器１８０ａ、１８０ｂを採用する場合は、第１収納容器１４０の内部底面に、下部収納空間１２４と前部収納空間１２６とを分割する仕切板１２７を設けることにより使い勝手をより向上することができる。
（第４実施例）
次に、図２０から図２３を参照して、この発明に係る第４実施例を具体的に説明する。ここで、図２０から図２３は、野菜室の動作状態を示す縦断面図である。なお、第１実施例と同様な部位や矢印などは同一符号をもって示して、重複した説明を省略する。
【０１３１】
図２０において、この第４実施例に係る冷蔵庫の基本構造は前記第１実施例と同様な構造を備えたものであるが、その特徴的な構造の違いは、収納容器１２０の前部から食品を出し入れ可能な程度に蓋体１６０を開いた状態で、収納容器１２０を野菜室１００から引き出す構造を備えた点である。
【０１３２】
即ち、最近の引出構造を備えた野菜室は、その前部にペットボトルをなどのボトル類を収納する前部収納空間１２６を備えている。したがって、この前部収納空間１２６に納められたボトル類を取り出したり、あるいは収納するために野菜室１００の引出扉１０１を開放することが頻繁に想定される。しかし、前記第1実施例の構造では、収納容器１２０を所定の位置まで開かないと蓋体１６０を開放できない。あるいは、図１２に示す開放機構部３４０を一々操作しなければ蓋体１６０を開放することができない。
【０１３３】
もちろん、第１実施例の所定の位置を前部収納空間１２６が野菜室２００から露出された位置とすることでも対応することができる。しかし、収納容器１２０の引き出し動作に伴って折角引き出された蓋体１６０が僅かな引き出し量で野菜室１００に収納すると、前記効果が薄れることが懸念される。
【０１３４】
そこで、この実施例では、引出扉１０１を閉じた状態では、第１収納容器１４０の上部開口部１４１を蓋体１６０で覆うことで収納容器１２０を密閉状態とし、引出扉１０１が所定量Ｌ２だけ引き出されるまで蓋体１６０を野菜室１００内に止め、引出扉１０１が所定量の長さＬ２以上に引き出されると、その引出扉１０１の引き出し動作に追随して、蓋体１６０が第１収納容器１４０の後方を覆うように引き出される構造としている。
【０１３５】
この実施例では、前記所定量の長さＬ２を第１収納容器１４０の前部に形成した前部収納空間１２６が完全に露出する長さＬ２に設定している。したがって、この構造によれば、前部収納空間１２６からボトル類を出し入れする状態まで第１収納容器１４０を引き出しても、蓋体１６０は野菜室１００内に止められている。しかし、更に、第１収納容器１４０を引き出すと、蓋体１６０が前部収納空間１２６の後方の上部開口部１４１を覆った状態で引き出される。これにより、前部収納空間１２６からのボトル類の出し入れが自由に行えるものの、前部収納空間１２６以外は、その上部を蓋体１６０で覆うことができるので、前記第１実施例と同様な作用効果を得ることができる。
【０１３６】
以下、この具体的な構造を、図２０から図２３を参照して更に説明する。
【０１３７】
先ず、図２０において、この実施例では、図１９に示す第３実施例と同様に仕切板１２７を設けることにより、第１収納容器１４０を前部収納空間１２６と下部収納空間１２４に分割している。そして、この図２０から図２３では説明の都合上省略しているが、下部収納空間１２４の上部に第２収納容器１８０が配置されている。
【０１３８】
この実施例の基本構造は、図１１で説明した第1実施例と同様な構造を備えており、違う点は、第１収納容器１４０の引き出し動作に伴って蓋体１６０が初期段階において移動するのを防止する第２ロック機構部３５０を設けた点と、ロック機構部３２０が蓋体１６０を捕まえて引き出す位置（ロックツメ３２４）を前方に移動させた点である。
【０１３９】
先ず、第１収納容器１４０が野菜室１００内に収納された状態では、その上部の上部開口部１４１が蓋体１６０により覆われている。この上部開口部１４１と蓋体１６０の結合部２８０は、密閉構造を得るためにある程度密着されているため、第１収納容器１４０を引き出す動作に伴って蓋体１６０が移動する課題がある。この課題を解決するために、この実施例では、この第１収納容器１４０を引き出す動作の初期段階において、蓋体１６０を固定する第２ロック機構部３５０を備えている。なお、蓋体１６０を止める手段としてバネ材３１０があるが、このバネ材３１０は前記初期段階では応力が弱いために、蓋体１６０を固定するまでの応力はない。
【０１４０】
図２０には、第２ロック機構部３５０の一例を示す。この第２ロック機構部３５０は、蓋体１６０の両側面に回転軸３５４を介して回転可能に取り付けられる回転部材３５１と、蓋体１６０の両側面に上下方向にスライド移動可能に取り付けられる第１移動部材３５２と第２移動部材３５３とから構成される。回転部材３５１の両端部には長穴３５５が形成され、この長穴３５５の一端に第１移動部材３５２の上端部に設けた回転突起３５６が取り付けられ、この長穴３５５の他端に第２移動部材３５３の下端部に設けた回転突起３５６が取り付けられる。
【０１４１】
ここで、第１移動部材３５２と第２移動部材３５３は、互いに平行にスライド移動する図示しない構造を備えており、回転部材３５１は、第１移動部材３５２のスライド移動する動作を第２移動部材３５３のスライド移動する動作に伝達する役割を果たす。そして、長穴３５５と回転突起３５６の結合は、回転部材３５１の回転に伴う一対の回転突起３５６の間の長さを吸収する役割を果たすものである。
【０１４２】
即ち、第１移動部材３５２の下端部３５７は、下方に向かって先のとがった形状を備えており、この傾斜面を備えた下端部３５７が、ロック機構部３２０の後端部３２１の移動により、図２０の（ｂ）図のように、上方に押し上げられる。この第１移動部材３５２の上方への移動に伴って、回転部材３５１が時計回りに回転する。そして、回転部材３５１と連結される第２移動部材３５３は下方に引き下げられる。第２移動部材３５３の上端部３５８は、通常状態では、図示しないばねにより、野菜室１００内に形成される嵌合穴３５９と嵌合することでロック状態となっている。この実施例では、ロック機構部３２０を前方へ移動させることにより、上端部３５８と嵌合穴３５９の嵌合によるロック状態を解放して、蓋体１６０を移動可能とすることができる。
【０１４３】
また、この実施例では、ロック機構部３２０が蓋体１６０を捕まえて引き出す位置（ロックツメ３２４）を前方に所定量の長さＬ２（図２０（ｂ））だけ移動させることにより、第１収納容器１４０を所定量の長さＬ２（図２１（ａ）参照）だけ引き出されるまで、蓋体１６０を野菜室１００内に止めることができる。
【０１４４】
即ち、前記第１実施例では、第１収納容器１４０の後端部に設けられるロック機構部３２０の後端部３２１は、蓋体１６０の後端部に接して設けられているため、収納容器１２０が前方に移動することに伴って、上方に立ち上がって形成される後端部３２１が蓋体１６０を保持して前方に移動させる構造としていた。
【０１４５】
しかし、この実施例では、ロック機構部３２０の後端部３２１が蓋体１６０を捕まえて引き出すロックツメ３２４を蓋体１６０の両側面に設けている。このロックツメ３２４を設ける位置は、蓋体１６０の後端部から長さＬ２の位置としている。この長さＬ２は、前部収納空間１２６の前後方向の長さと同等の大きさとしている。これにより、前部収納空間１２６が開放した状態で、第１収納容器１４０と蓋体１６０を野菜室１００から引き出すことができる。
【０１４６】
また、この実施例では、第１移動部材３５２の下端部３５７をロックツメ３２４の後方に隣接する位置（長さＬ３）に設けている。これにより、第２ロック機構部３５０によるロック状態が解除された直後に後端部３２１がロックツメ３２４と接触するので蓋体１６０を捕まえて引き出すことができる。
【０１４７】
上記特徴的な構造を備えたこの実施例の動作を図２０と図２３を参照しながらさらに説明する。
【０１４８】
図２０（ａ）図において、この実施例においても、連動機構部３００は、第１収納容器１４０の張出部１４５の両側近傍に設けられるロック機構部３２０と、ロック機構部３２０の移動路３３０上でかつ野菜室１００の両側の内壁面または第１支持レール２０２に設けられる開放ツメ３３１と、蓋体１６０を常に野菜室１００内に戻そうとするバネ材３１０とを含んで構成される。また、この実施例のロック機構部３２０は第１実施例と同様な構造を備えることで、ロック機構部３２０が開放ツメ３３１との間の長さＬ１だけ移動すると、蓋体１６０の固定を解除して、バネ材３１０の作用により、蓋体１６０のみを野菜室１００内に引き戻すことができる。
【０１４９】
今、図２０の（ａ）図の状態では、野菜室１００内に収納容器１２０が収納された状態となっている。この状態からハンドル１０２を介して引出扉１０１を前方（図面上の右側）に引き出すと、図示しない第１引出機構部２００により収納容器１２０全体を引き出すことができる。この（ａ）図の状態では、蓋体１６０は第２ロック機構部３５０によりロック状態となっているので、蓋体１６０を残して、収納容器１２０を引き出すことができる。
【０１５０】
さて、第１収納容器１４０が、図（ｂ）のように、所定量の長さＬ３だけ移動すると、ロック機構部３２０の後端部３２１が第１移動部材３５２の下端部３５７と接触して、第１移動部材３５２を上方に移動させるので、第２ロック機構部３５０のロック状態を解除することができる。
【０１５１】
次に、図２１（ａ）図に示すように、ロック機構部３２０は、第１移動部材３５２を上方に移動させた状態で、ロックツメ３２４と接触する。これにより、ロックツメ３２４が設けられる蓋体１６０は第１収納容器１４０の移動と連動して前方に引き出すことができる。つまり、この実施例では、蓋体１６０を時間差で引き出すことができる。
【０１５２】
ここで、図２１（ａ）図の状態は、前部収納空間１２６が開放された位置まで（所定量の長さＬ２）第１収納容器１４０が引き出された位置である。この状態であれば、前部収納空間１２６の上方は蓋体１６０によって覆われないので、前部収納空間１２６にボトル類などを出し入れすることができる。そして、この（ａ）図の状態からさらに第１収納容器１４０を引き出しても、前部収納空間１２６の上方は開放されているので、ボトル類などを出し入れすることができる。しかし、前部収納空間１２６の後方は、その上部が蓋体１６０で覆われているので、前記第１実施例と同様な作用効果を得ることができる。
【０１５３】
次に、図２１（ｂ）図において、この実施例においても、第１実施例と同様に、第１収納容器１４０が前方に引き出されると、ロック機構部３２０も、仮想的な移動路３３０を移動する。しかし、ロック機構部３２０が長さＬ１だけ移動すると、その前端部３２２が固定位置の開放ツメ３３１に当たって、図２２の（ａ）図に示すように、前端部３２２が上方に押し上げられる。つまり、この作用により、ロック機構部３２０が回転軸３２３を中心に回転するので、後端部３２１はロックツメ３２４を開放するように下方に回転するので、蓋体１６０のロック状態を開放することができる。この構造により、蓋体１６０は、図２２の（ｂ）図に示すように、バネ材３１０の力により、野菜室１００内に引き戻され、再び、第２ロック機構部３５０によりロック状態となる。
【０１５４】
この（ｂ）図の状態であれば、収納容器１２０の上方が開放されるので、図示しない第２収納容器１８０と前部収納空間１２６から食品を出し入れすることができるとともに、第２収納容器１８０を野菜室１００内に押し込むことにより、第１収納容器１４０から食品を出し入れすることができる。
【０１５５】
なお、図２１の（ａ）図の状態から蓋体１６０が前方に移動すると、第２ロック機構部３５０は、図示しないばねによりロック状態とするように作用するが、上端部３５８が接触して移動する野菜室１００の内壁面に形成される摺動面３６０は、フラットに形成されているので、蓋体１６０を収納容器１２０に追随して移動させることができる。
【０１５６】
また、この実施例では、ロック状態を開放したロック機構部３２０は、その解放した姿勢を維持するための第３ロック機構部３６１と、これを解除するための図示しないばねを備えている。
【０１５７】
即ち、この実施例では、図示しないばねにより、ロック機構部３２０が時計回りの方向に力を受けている。そして、開放ツメ３３１により、ロック機構部３２０が回転すると、回転軸３２３の摺動面に設けた第３ロック機構部３６１が、その姿勢を維持する状態で固定される。ここで、第３ロック機構部３６１は、例えば、図示しない嵌合突起と嵌合穴で構成する。この構造によれば、収納容器１２０を野菜室１００内に戻す際に、ロック機構部３２０の後端部３２１がロックツメ３２４や第１移動部材３５２と接触させなくすることができる。
【０１５８】
この第３ロック機構部３６１のロック状態は、図２３に示すように、収納容器１２０を野菜室１００に戻すことにより、ロック機構部３２０が野菜室１００の後方に形成した傾斜面３６２に当たることで解除され、再び、図２０の（ａ）図の状態に復帰させることができる。
【０１５９】
なお、この第４の実施例では、図１２で説明したと同様な解放機構部３４０と組み合わせた構造とすることができる。これにより、第１実施例と同様な作用効果を得ることができる。
（第５実施例）
次に、図２４と図２５を参照して、この発明に係る第５実施例を具体的に説明する。ここで、図２４と図２５は、野菜室の動作状態を示す縦断面図である。なお、第１実施例や第４実施例と同様な部位や矢印などは同一符号をもって示して、重複した説明を省略する。
【０１６０】
図２４において、この第５実施例に係る冷蔵庫は、第４実施例と同様に前部収納空間１２６を開放した状態で蓋体１６０を引き出すことが可能な他の応用例である。この構造の特徴は、収容容器１２０の引出方向に所定量の長さL2だけスライド移動するスライド機構部３７０を第１収納容器１４０の両側面に設け、このスライド機構部３７０に設けたロック機構部３２０を野菜室１００の内壁面に設けた開放ツメ３３１で解放することにより、収容容器１２０を所定量の長さL４だけさらに引き出すと蓋体１６０を野菜室１００内に引き込む構造を備えている。
【０１６１】
即ち、この実施例に係るスライド機構部３７０は、第１収納容器１４０の両側面に形成されるスライド溝部３７１と、このスライド溝部３７１にスライド可能に取り付けられる移動部材３７２とを含んで構成する。移動部材３７２に突起部３７３が形成され、スライド機構部３７０には、前記突起部３７３の移動範囲を制限する凹状の突起可動部３７４が形成されている。この実施例では、移動範囲を所定量の長さL2に設定し、この長さL２は前部収納空間１２６の奥行き方向の長さである。また、移動部材３７２の後端部にはロック機構部３２０が設けられている。このロック機構部３２０の後端部３２１は、第１実施例と同様に、蓋体１６０の下端部を保持するように設けられている。
【０１６２】
ロック機構部３２０は、その中央を回転軸３２３によって移動部材３７２に回転可能に支持され、第１収納容器１４０を野菜室１００内に収納している状態では、上方に立ち上がって形成され後端部３２１が蓋体１６０の下端部を保持している。
【０１６３】
さて、この実施例では、図２４（ａ）図に示す引出扉１０１を閉めた状態から、（ｂ）図に示すように、前部収納空間１２６が露出される状態まで、第１収納容器１４０を引き出しても蓋体１６０は野菜室１００内に止まっている。つまり、蓋体１６０はバネ材３１０で野菜室１００内に止められ、この蓋体１６０を保持するロック機構部３２０も止めら、さらに、ロック機構部３２０が取り付けられる移動部材３７２も野菜室１００内に止められる。そして、移動部材３７２はスライド溝部３７１にスライド可能に保持されているので、スライド溝部３７１を備えた第１収納容器１４０は移動部材３７２を置いたまま引き出される。
【０１６４】
しかし、第１収納容器１４０が、前部収納空間１２６からさらに引き出されると、移動部材３７２の移動範囲を制限する突起部３７３が突起可動部３７４の端部によって保持されるので、移動部材３７２もスライド溝部３７１を備えた第１収納容器１４０に移動と連動して前方に引き出される。これにより、図２５（ａ）図に示すように、前部収納空間１２６のみを開放した状態で第１収納容器１４０と蓋体１６０が前方に引き出される。
【０１６５】
そして、ロック機構部３２０の前端部３２２が移動路３３０に設けられる開放ツメ３３１によって上方に力を受けるまで第１収納容器１４０が引き出されると、ロック機構部３２０が回転するので、蓋体１６０の固定が解放される。この解放動作に伴って、図２５（ｂ）図に示すように、蓋体１６０はバネ材３１０の力により元の野菜室１００内に戻される。これにより、第１実施例と同様に、収容容器１２０からの食品の出し入れが可能となる。また、この（ｂ）図の状態から、野菜室１００内に第１収納容器１４０を戻すことにより、第１実施例と同様な作用効果により、図２４（ａ）図の状態に戻される。
【０１６６】
（第６実施例）
次に、図２６を参照して、この発明に係る第６実施例を具体的に説明する。ここで、図２６は、野菜室の動作状態を示す説明図であり、（ａ）図が収納容器の外観図、（ｂ）図が野菜室の縦断面図である。なお、第１実施例や第４実施例と同様な部位や矢印などは同一符号をもって示して、重複した説明を省略する。
【０１６７】
この第６実施例の特徴的な構造は、第１実施例と同様な構造を備えつつ、蓋体１６０の前部に前部収納空間１２６に対応する開口部３８０を設け、この開口部３８０を蓋体１６０が野菜室１００にある時には開閉蓋３９０で封鎖し、蓋体１６０が引き出された状態では開放するようにした点にある。これにより、収納容器１２０が野菜室１００内に収納された状態では、この収納容器１２０を密閉構造とし、収納容器１２０が引き出された状態では、開口部３８０から露出する前部収納空間１２６から食品の出し入れを可能とすることができる。
【０１６８】
即ち、（ｂ）図に示すように、この実施例では、収納容器１２０が野菜室に収納させた状態において、蓋体１６０の開口部３８０に対応する野菜室１００の天井面に開閉蓋３９０を設けている。この開閉蓋３９０は、図示しないばね材や軟質材あるいは樹脂の弾性などを利用して天井面に取り付けることにより、蓋体１６０の出し入れに伴う摩耗を軽減する構造としている。この実施例によれば、簡単な構造で第４あるいは第５実施例と同様な作用効果を得ることができる。
【符号の説明】
【０１６９】
１…冷蔵庫、２…貯蔵室、３…仕切壁、４…筐体、５…外箱、６…内箱、７…断熱材、８…仕切壁、１０…機械室、１１…圧縮機、１２…ドレン皿、１５…冷却室、１６…熱交換器、１７…送風機、１８…分配器、２０…冷蔵室、２１…開閉扉、３０…冷凍室、３１、３２…引出扉、３３…送風口、１００…野菜室（下部貯蔵室）、１０１…引出扉、１０２…ハンドル、１０３…隙間空間、１２０…収納容器、１２１…貯蔵空間、１２２…移動路、１２３…凹部、１２４…下部収納空間、１２５…上部収納空間、１２６…前部収納空間、１２７…仕切板、１４０…第１収納容器、１４１…上部開口部、１４２…前端縁部、１４３…後端縁部、１４４…両側縁部、１４５…張出部、１４６…支持部材、１４７…底面部、１４８…突起部、１６０…蓋体、１６１…内壁面、１６２…透明窓、１６３…両側端部、１６４…前端部、１６５…後端部、１８０…第２収納容器、１８１…切欠部、２００…第１引出機構部、２０１…支持枠、２０２…第１支持レール、２０３…第１移動部材、２０４…連結部材、２２０…第２引出機構部、２２１…底部（第２移動部材）、２２２…第２支持レール、２４０…第３引出機構部、２４１…両側縁部（第３移動部材）、２４２…第３支持レール、２４３…第２隙間、２６０…第４引出機構部、２６１…第４移動部材、２６２…第４支持レール、２６３…第１隙間、２８０…結合部、２８１…凸リブ、２８２…凹溝、３００…連動機構部、３０１…突起部、３１０…バネ材、３２０…ロック機構部、３２１…後端部、３２２…前端部、３２３…回転軸、３２４…ロックツメ、３３０…移動路、３３１…開放ツメ、３４０…解放機構部、３４１…開放ボタン、３４２…ワイヤー、３５０…第２ロック機構部、３５１…回転部材、３５２…第１移動部材、３５３…第２移動部材、３５４…回転軸、３５５…長穴、３５６…回転突起、３５７…下端部、３５８…上端部、３５９…嵌合穴、３６０…摺動面、３６１…第３ロック機構部、３７０…スライド機構部、３７１…スライド溝部、３７２…移動部材、３７３…突起部、３７４…突起可動部、３８０…開口部、３９０…開閉蓋
【図１】
0005624775.tif 000002
【図２】
0005624775.tif 000003
【図３】
0005624775.tif 000004
【図４】
0005624775.tif 000005
【図５】
0005624775.tif 000006
【図６】
0005624775.tif 000007
【図７】
0005624775.tif 000008
【図８】
0005624775.tif 000009
【図９】
0005624775.tif 000010
【図１０】
0005624775.tif 000011
【図１１】
0005624775.tif 000012
【図１２】
0005624775.tif 000013
【図１３】
0005624775.tif 000014
【図１４】
0005624775.tif 000015
【図１５】
0005624775.tif 000016
【図１６】
0005624775.tif 000017
【図１７】
0005624775.tif 000018
【図１８】
0005624775.tif 000019
【図１９】
0005624775.tif 000020
【図２０】
0005624775.tif 000021
【図２１】
0005624775.tif 000022
【図２２】
0005624775.tif 000023
【図２３】
0005624775.tif 000024
【図２４】
0005624775.tif 000025
【図２５】
0005624775.tif 000026
【図２６】
0005624775.tif 000027